(57)【要約】【課題】ケージ本体内に汚れのない完全に新鮮な空気のみを供給することができると共に、ケージ本体内に全体的に新鮮な空気が行き渡るようにして、内部全体を均一に換気することができるようにする。【解決手段】給気ノズル４から供給する換気用の新鮮な空気は、ケージ本体２の背面側の側壁２ａからケージ本体２内に直接流入させる。また、排出すべき空気は、ケージ本体２の上部開口に被着した蓋体８における膨出部分８ａの内部を通って排出するようにする。【選択図】図２ 
0003106730.tif 000002
【実用新案登録請求の範囲】
【請求項１】
箱形をなすケージ本体と、該ケージ本体の上部開口に被着する蓋体とからなり、ケージ本体内に給水装置を備えると共にケージ本体内の換気を行うようになした実験動物飼育ケージにおいて、換気用の給気ノズルを、ケージ本体の背面側の側壁における幅方向の中心位置であって且つ高さ方向における中心より上部寄りの位置においてケージ本体内に空気を放出するようになす一方、蓋体を、その周縁部を僅かに残して上部側に所要の高さに膨出させると共に該膨出部分の側壁に換気用の排気口を設け、更に蓋体内に、該膨出部分により形成された通気穴をカバーするようにフィルターを備えたことを特徴とする実験動物飼育ケージ。
【請求項２】
ケージ本体の背面側の側壁における幅方向の中心位置であって且つ高さ方向における中心より上部寄りの位置に、換気用の給気ノズルの挿通穴を設ける一方、筒状をなして、先端及び左右、上下の側面に空気放出口を設けた給気ノズルを、ラックに設置された空気送出用ダクトに接続し、該給気ノズルを、ラックにケージがセットされたときに換気用の給気ノズルの挿通穴に挿通されるようになし、もって換気用の給気ノズルを、ケージ本体の背面側の側壁における幅方向の中心位置であって且つ高さ方向における中心より上部寄りの位置においてケージ本体内に空気を放出するようになした請求項１記載の実験動物飼育ケージ。
【考案の詳細な説明】
【技術分野】
【０００１】
本考案は実験動物飼育ケージに関するものである。
【背景技術】
【０００２】
実験動物は、一般的に多数段のラックにセットされた個々のケージ内で飼育されている。そして、個々のケージ内は、常に適度な乾燥状態を維持すべく、適宜の換気手段によって換気が行われる。
【０００３】
而して、従来の飼育ケージは、箱形をなすケージ本体と、該ケージ本体の上部開口に被着する、平鍋を伏せた形の蓋体との間にフィルターを備え、蓋体の背面側の側壁に給気ノズルと排気口が位置するようになしたものである。そして、給気ノズルから放出された換気用の空気は、蓋体の天壁内面に沿って該蓋体の正面側の側壁に向かい、これに当たって下部のケージ本体内に流入する。ケージ本体内に流入した空気は、ケージ本体の底部に沿って流れた後、ケージ本体の背面側の側壁に当たり、これの内面に沿って上昇する。上昇した空気は、フィルターを通過して再び蓋体内に流入し、蓋体の背面側の側壁に設けた排気口から排出されるものである。このようにして微風速の気流による換気が行われるものである。
【０００４】
しかしながら、斯かる従来の飼育ケージの場合には、給気ノズルから放出された汚れのない新鮮な空気と、ケージ本体内を通過した汚れた空気とが、蓋体内において混ざり合うことになる。この結果、給気ノズルから放出された新鮮な空気には常に何パーセントかの汚れた空気が混ざり、ケージ本体内に汚れのない完全に新鮮な空気のみを供給することができない。
【０００５】
また、空気の流れも上記の通りであり、ケージ本体内に流入した空気は、ケージ本体の背面側の側壁を伝って底部に流れ、そしてケージ本体の底部に沿って流れた後、ケージ本体の正面側の側壁を伝って上昇するものである。
【０００６】
このように、ケージ本体内に流入した空気は、常に壁に沿って、これを伝うようにして流れるから、ケージ本体の中央部への新鮮な空気の供給は充分に行われない。この結果、ケージ本体内の全体的に均一な換気は、これを行うことができない。
【考案の開示】
【考案が解決しようとする課題】
【０００７】
本考案は上記の点に鑑みなされたものであって、ケージ本体内に汚れのない完全に新鮮な空気のみを流すことができると共に、ケージ本体内に全体的に新鮮な空気が行き渡るようにして、内部全体を均一に換気することができるようになした実験動物飼育ケージを提供せんとするものである。
【課題を解決するための手段】
【０００８】
而して、本考案の要旨とするところは、箱形をなすケージ本体と、該ケージ本体の上部開口に被着する蓋体とからなり、ケージ本体内に給水装置を備えると共にケージ本体内の換気を行うようになした実験動物飼育ケージにおいて、換気用の給気ノズルを、ケージ本体の背面側の側壁における幅方向の中心位置であって且つ高さ方向における中心より上部寄りの位置においてケージ本体内に空気を放出するようになす一方、蓋体を、その周縁部を僅かに残して上部側に所要の高さに膨出させると共に該膨出部分の側壁に換気用の排気口を設け、更に蓋体内に、該膨出部分により形成された通気穴をカバーするようにフィルターを備えたことを特徴とする実験動物飼育ケージにある。
【０００９】
また、上記構成において、ケージ本体の背面側の側壁における幅方向の中心位置であって且つ高さ方向における中心より上部寄りの位置に、換気用の給気ノズルの挿通穴を設ける一方、筒状をなして、先端及び左右、上下の側面に空気放出口を設けた給気ノズルを、ラックに設置された空気送出用ダクトに接続し、該給気ノズルを、ラックにケージがセットされたときに換気用の給気ノズルの挿通穴に挿通されるようになし、もって換気用の給気ノズルを、ケージ本体の背面側の側壁における幅方向の中心位置であって且つ高さ方向における中心より上部寄りの位置においてケージ本体内に空気を放出するようになしてもよい。
【考案の効果】
【００１０】
本考案は上記の如き構成であり、給気ノズルから供給する換気用の新鮮な空気は、ケージ本体の背面側の側壁からケージ本体内に直接流入させる一方、排出すべき空気は、ケージ本体の上部開口に被着した蓋体の内部を通って排出するようになしたから、ケージ本体内に新鮮な空気を供給するときに、従来の如く汚れた空気が混入することなく、常に完全に新鮮な空気のみを供給することができると共に、新鮮な空気をケージ本体内の中央部はもとより隅々まで行き渡らせ、ケージ本体内の全体的に均一な換気をも行うことができるものである。
【考案を実施するための最良の形態】
【００１１】
本考案を実施するための最良の形態は、換気用の給気ノズルを、ケージ本体の背面側の側壁における幅方向の中心位置であって且つ高さ方向における中心より上部寄りの位置においてケージ本体内に空気を放出するようになす一方、蓋体を、その周縁部を僅かに残して上部側に所要の高さに膨出させると共に該膨出部分の側壁に換気用の排気口を設け、更に蓋体内に、該膨出部分により形成された通気穴をカバーするようにフィルターを備えることにある。
【実施例１】
【００１２】
以下、本考案の実施例について説明する。
図１は本考案の実施例１の背面図、図２は一部切欠して示した側面図、図３は要部の拡大断面図、図４は蓋体の平面図、図５は図４中Ａ−Ａ線断面図、図６は図４中Ｂ−Ｂ線断面図、図７は蓋体の底面図、図８はフィルター押さえの平面図、図９は図８中Ｃ−Ｃ線断面図、図１０はフィルター押さえの底面図である。
【００１３】
図中、１は実験動物飼育ケージである。２は箱形をなすケージ本体である。また、該ケージ本体２には、その背面側の側壁２ａにおける幅方向の中心位置であって且つ高さ方向における中心より上部寄りの位置に、換気用の給気ノズルの挿通穴３を設けている。
【００１４】
また、該換気用の給気ノズルの挿通穴３に挿通される給気ノズル４は、筒状をなして、先端及び左右、上下の側面に空気放出口４ａ、４ａ・・・を設けている。そして該給気ノズル４は、図示しないラックに設置された空気送出用ダクト５に接続されており、ラックにケージがセットされたときに換気用の給気ノズルの挿通穴３に自動的に挿通するようになされている。
【００１５】
また、本実施例においては、給水をケージ本体２の背面側の側壁２ａから行うようになした場合を示している。即ち、前記ケージ本体２に、その背面側の側壁２ａにおける前記換気用の給気ノズルの挿通穴３の直下位置に給水ノズルの挿通穴６を設ける一方、筒状をなして、先端に放水口を設けた給水ノズル７を、図示しないラックに設置された送水装置に接続し、該給水ノズル７を、ラックにケージがセットされたときに給水ノズルの挿通穴６に自動的に挿通するようになされている。
【００１６】
８は、前記ケージ本体２の上部開口に被着する蓋体である。また、該蓋体８は、その周縁部を僅かに残して上部側に所要の高さに膨出させると共に該膨出部分８ａの背面側の側壁に換気用の排気口９を設けている。１０は該蓋体２の下面において膨出部分８ａを囲む位置に設けられた、後記フィルター押さえの小突起が嵌合する溝である。１１は前記溝１０を囲むように設けられた後記フィルター押さえの保持枠である。
【００１７】
１２は図示しないラックに設置された空気排出用ダクトであり、ラックにケージがセットされたときに、それに設けられた枠形のフード１３が、前記蓋体８の換気用の排気口９に被さるものである。
【００１８】
１４は前記蓋体８内に、その膨出部分８ａにより形成された通気穴８′をカバーするように備えられたフィルターである。１５は前記フィルター１４を押さえるための板状のフィルター押さえであり、全体に通気穴１６、１６・・・を設けると共に、周縁部に前記蓋体２の溝１０に嵌合する小突起１７、１７・・・を設けている。そして、該フィルター押さえ１５は、前記フィルター１４の下面にあてがい、フィルター押さえの保持枠１１をもって蓋体２内に保持されるものである。
【００１９】
次に、本実施例による換気作用について説明する。
図２に示す如く、給気ノズル４から供給する汚れのない換気用の新鮮な空気は、ケージ本体２の背面側の側壁２ａからケージ本体２内に直接流入する一方、排出すべき空気は、ケージ本体２の上部開口に被着した蓋体８における膨出部分８ａの内部を通って排出するようになしたものであるから、新鮮な空気を供給するときに、従来の如く汚れた空気が混入することなく、常に汚れのない完全に新鮮な空気のみを供給することができるものである。また、新鮮な空気はケージ本体２内の中央部はもとより隅々まで行き渡るから、ケージ本体２内の全体的に均一な換気を行うことができるものである。
【実施例２】
【００２０】
次に、本考案の実施例２について説明する。
図１１は本考案の実施例２の一部切欠して示した側面図である。
【００２１】
本実施例は、給水装置として給水ビン１８を用い、これをケージ本体２内の中央部に設置する点において前記実施例１と相違するものである。また、その他の構成並びに作用は前記実施例１と同様であるから、同一の部材には同一の符号を付して詳細な説明は省略する。
【図面の簡単な説明】
【００２２】
【図１】本考案の実施例１の背面図である。
【図２】一部切欠して示した側面図である。
【図３】要部の拡大断面図である。
【図４】蓋体の平面図である。
【図５】図４中Ａ−Ａ線断面図である。
【図６】図４中Ｂ−Ｂ線断面図である。
【図７】蓋体の底面図である。
【図８】フィルター押さえの平面図である。
【図９】図８中Ｃ−Ｃ線断面図である。
【図１０】フィルター押さえの底面図である。
【図１１】本考案の実施例２の一部切欠して示した側面図である。
【符号の説明】
【００２３】
１  実験動物飼育ケージ
２  ケージ本体
２ａ  ケージ本体の背面側の側壁
３  換気用の給気ノズルの挿通穴
４  換気用の給気ノズル
７  給水ノズル
８  蓋体
８ａ  蓋体の膨出部分
９  換気用の排気口
１４  フィルター
【図１】
0003106730.tif 000003
【図２】
0003106730.tif 000004
【図３】
0003106730.tif 000005
【図４】
0003106730.tif 000006
【図５】
0003106730.tif 000007
【図６】
0003106730.tif 000008
【図７】
0003106730.tif 000009
【図８】
0003106730.tif 000010
【図９】
0003106730.tif 000011
【図１０】
0003106730.tif 000012
【図１１】
0003106730.tif 000013